(57)【要約】【課題】締め付け性の低下を防止したバッテリーターミナルを提供する。【解決手段】バッテリーターミナル１０は、弧状に回曲されてバッテリーポスト８０に取り付けられる電極保持部２１と、電極保持部２１の両端から対向して突出され、かつバッテリーポスト８０の軸と平行な方向に対して斜めに配される上側締め付け部２５及び下側締め付け部２６と、両締め付け部２５、２６に貫通して装着され、その締め付けによって両締め付け部２５、２６を互いに接近させ、かつ電極保持部２１を縮径させる固定部材６０とを備える。上側締め付け部２５及び下側締め付け部２６は、それぞれ、互いに係わり合うことにより、固定部材６０の締め付けに伴う相互の芯ずれを規制する上方変位規制片３１及び下方変位規制片３２を有している。【選択図】図３
2010153047.tif 000002
【特許請求の範囲】
【請求項１】
弧状に回曲されてバッテリーポストに取り付けられる電極保持部と、
前記電極保持部の両端から対向して突出され、かつ前記バッテリーポストの軸と平行な方向に対して斜めに配される一対の締め付け部と、
前記両締め付け部に貫通して装着され、その締め付けによって前記両締め付け部を互いに接近させ、かつ前記電極保持部を縮径させる固定部材とを備えたバッテリーターミナルであって、
前記両締め付け部は、互いに係わり合うことにより、前記固定部材の締め付けに伴う相互の芯ずれを規制する芯出し部を有していることを特徴とするバッテリーターミナル。
【請求項２】
前記両締め付け部は、前記バッテリーポストの軸と平行な方向に対して、相対的に上方に位置する上側締め付け部と、相対的に下方に位置する下側締め付け部とからなり、
前記上側締め付け部の前記芯出し部は、前記下側締め付け部側に突出して係合することにより、前記下側締め付け部の上方への相対変位を規制する上方変位規制片とされ、
前記下側締め付け部の前記芯出し部は、前記上側締め付け部側に突出して係合することにより、前記上側締め付け部の下方への相対変位を規制する下方変位規制片とされていることを特徴とする請求項１記載のバッテリーターミナル。        
【請求項３】
前記両締め付け部の前記芯出し部は、前記固定部材の軸を内側に配した第１、第２筒状体とされ、前記第１筒状体は、前記第２筒状体を前記軸の軸方向に摺動可能に内嵌してなることを特徴とする請求項１記載のバッテリーターミナル。
【発明の詳細な説明】
【技術分野】
【０００１】
本発明は、バッテリーターミナルに関する。
【背景技術】
【０００２】
特許文献１には、従来のバッテリーターミナルが開示されている。これは、バッテリーポストを取り囲むように回曲された弧状の電極保持部と、電極保持部の両端から突出される一対の締め付け部と、両締め付け部に貫通して装着される固定部材とを備えている。両締め付け部は、バッテリーポストの軸方向に対して、相対的に上方に配される上側締め付け部と、相対的に下方に配される下側締め付け部とからなり、両者が、互いに平行でかつバッテリーポストの軸と平行な方向に対して斜めに配されている。固定部材はボルトとナットとからなり、両締め付け部にはボルトを通す貫通孔が設けられている。ボルトが上側締め付け部から下側締め付け部にかけて両貫通孔を貫通した状態でナットに締め付けられることにより、両締め付け部が互いに接近し、かつ電極保持部が次第に縮径してバッテリーポストに固定されるようになっている。
【特許文献１】特開２００７−１４１７２７公報（第３図）
【発明の開示】
【発明が解決しようとする課題】
【０００３】
上記の場合、両締め付け部が垂直軸に対して斜めに配された横締め方式であることに起因し、ボルトの締め付け方向がバッテリーポストの軸方向と直角な水平方向に向きがちであり、ボルトの締め付けに伴い、上側締め付け部には下方への分力が作用し、下側締め付け部には上方への分力が作用するきらいがあった。このため、両締め付け部が正規の位置から分力作用方向に芯ずれして締め付けられ、締め付け性が低下するおそれがあった。
【０００４】
本発明は上記のような事情に基づいて完成されたものであって、締め付け性の低下を防止したバッテリーターミナルを提供することを目的とする。
【課題を解決するための手段】
【０００５】
上記の目的を達成するための手段として、請求項１の発明は、弧状に回曲されてバッテリーポストに取り付けられる電極保持部と、前記電極保持部の両端から対向して突出され、かつ前記バッテリーポストの軸と平行な方向に対して斜めに配される一対の締め付け部と、前記両締め付け部に貫通して装着され、その締め付けによって前記両締め付け部を互いに接近させ、かつ前記電極保持部を縮径させる固定部材とを備えたバッテリーターミナルであって、前記両締め付け部は、互いに係わり合うことにより、前記固定部材の締め付けに伴う相互の芯ずれを規制する芯出し部を有している構成としたところに特徴を有する。
【０００６】
請求項２の発明は、請求項１に記載のものにおいて、前記両締め付け部は、前記バッテリーポストの軸と平行な方向に対して、相対的に上方に位置する上側締め付け部と、相対的に下方に位置する下側締め付け部とからなり、前記上側締め付け部の前記芯出し部は、前記下側締め付け部側に突出して係合することにより、前記下側締め付け部の上方への相対変位を規制する上方変位規制片とされ、前記下側締め付け部の前記芯出し部は、前記上側締め付け部側に突出して係合することにより、前記上側締め付け部の下方への相対変位を規制する下方変位規制片とされているところに特徴を有する。
【０００７】
請求項３の発明は、請求項１に記載のものにおいて、前記両締め付け部の前記芯出し部は、前記固定部材の軸を内側に配した第１、第２筒状体とされ、前記第１筒状体は、前記第２筒状体を前記軸の軸方向に摺動可能に内嵌してなるところに特徴を有する。
【発明の効果】
【０００８】
＜請求項１の発明＞
固定部材が両締め付け部を貫通した状態で締め付けられると、両締め付け部の芯出し部によって両締め付け部の芯ずれが規制されるから、締め付け性の低下が防止され、安定した締め付け力が得られる。
【０００９】
＜請求項２の発明＞
上側締め付け部の上方変位規制片が下側締め付け部と係合して下側締め付け部の上方への相対変位を規制するとともに、下側締め付け部の下方変位規制片が上側締め付け部と係合して上側締め付け部の下方への相対変位を規制し、上方変位規制片が下側締め付け部側に突出して係合する形状をなし、下方変位規制片が上側締め付け部側に突出して係合する形状をなしているから、両締め付け部の芯ずれを規制するに際して格別形状の複雑化を伴うことはない。
【００１０】
＜請求項３の発明＞
第１筒状体が第２筒状体を固定部材の軸の軸方向に摺動可能に内嵌してなるから、両筒状体の変位方向が軸の軸方向に正しく定まり、芯出しの信頼性が高められる。
【発明を実施するための最良の形態】
【００１１】
＜実施形態１＞
本発明の実施形態１を図１ないし図４によって説明する。本実施形態に係るバッテリーターミナル１０は、導電性の金属板を打ち抜いたあと曲げ加工等して一体に成形されるターミナル本体２０と、締結用の固定部材６０とからなる。固定部材６０は、ボルト６１、例えば六角ボルトと、ナット６２、例えば六角ナットとからなる。
【００１２】
ターミナル本体２０は、バッテリーポスト８０に取り付けられる電極保持部２１を備えている。なお、バッテリーポスト８０は、上端側へ向けて次第に径の小さくなるテーパ状の円柱形をなしている。
【００１３】
電極保持部２１は、図１及び図４に示すように、バッテリーポスト８０の外周を取り囲むように回曲して形成され、バッテリーポスト８０と同じテーパ状でかつ上端側へ向けて次第に径の小さくなる円弧状をなしている。電極保持部２１の両端（両開放端）間には所定間隔の隙間が保有され、この隙間の間隔を縮めることにより、電極保持部２１が縮径可能とされている。
【００１４】
電極保持部２１のうち隙間とは反対側の後端部にはバレル部２２が連なって設けられている。バレル部２２は、電極保持部２１の上端縁から後方へ向けて折り曲げられる基板部２３と、基板部２３の左右両側縁から下方に突出する一対のかしめ片２４とによって構成されている。両かしめ片２４は、電線９０の芯線９１にかしめ付けられ、これによって電線９０との電気的な接続がとられる。
【００１５】
電極保持部２１の両端には一対の締め付け部２５、２６が連なって設けられている。両締め付け部２５、２６は、電極保持部２１の両端から互いに対向しつつ径方向外側へ突出する平板状の形状をなしている。詳しくは、両締め付け部２５、２６は、図２に示すように、バッテリーポスト８０の軸と平行な垂直方向に対して斜めとなるように、背面（対向面とは反対側面）を上方へ向けて相対的に上方に位置する上側締め付け部２５と、背面を下方へ向けて相対的に下方に位置する下側締め付け部２６とからなり、両締め付け部２５、２６が互いに平行に配されている。両締め付け部２５、２６のほぼ中央部には、ボルト６１が貫通可能な貫通孔２７が互いに対向して設けられている。
【００１６】
図２及び図４に示すように、上側締め付け部２５の上端の長さ方向一側部（図示する略前半部）には、その上端部分を板厚方向へ略直角に折り曲げてなる上側リブ２８が、下側締め付け部２６側に突出して設けられている。また、上側リブ２８と同じ側である、下側締め付け部２６の下端の長さ方向一側部には、その下端部分を板厚方向へ略直角に折り曲げてなる下側リブ２９が、上側締め付け部２５側に突出して設けられている。下側リブ２９及び上側リブ２８は互いに同形状とされ、互いの突出寸法をほぼ揃えて構成されている。
【００１７】
締め付け前の状態では、図２に示すように、上側リブ２８の突出端は下側締め付け部２６の対向面から離間して配されるとともに、下側リブ２９の突出端は上側締め付け部２５の対向面から離間して配される。一方、締め付け後の状態では、図３に示すように、上側リブ２８の突出端は下側締め付け部２６の対向面にほぼ当接して配されるとともに、下側リブ２９の突出端は下側締め付け部２６の対向面にほぼ当接して配され、これにより、両締め付け部２５、２６間の離間距離が上側リブ２８及び下側リブ２９によってほぼ一定間隔に保たれる。
【００１８】
さて、上側締め付け部２５の上端の長さ方向他側部（図示する略後半部）には、その上端部分を板厚方向へ略直角に折り曲げてなる上方変位規制片３１が、上側リブ２８よりも大きな突出量をもって下側締め付け部２６側に突出して設けられている。また、上方変位規制片３１と同じ側である、下側締め付け部２６の下端の長さ方向他側部には、その下端部分を板厚方向へ略直角に折り曲げてなる下方変位規制片３２が、下側リブ２９よりも大きな突出量をもって上側締め付け部２５側に突出して設けられている。
【００１９】
上方変位規制片３１は、上側リブ２８よりも約一枚板分だけ上方に段違いに配され、上側リブ２８との間には上側スリット３３が切り込み形成されている。また、下方変位規制片３２は、下側リブ２９よりも約一枚板部だけ下方に段違いに配され、下側リブ２９との間には下側スリット３４が切り込み形成されている。下側締め付け部２６の上端の長さ方向他側部は、上方変位規制片３１と係合可能な下側受け部３５とされ、上側締め付け部２５の下端の長さ方向他側部は、下方変位規制片３２と係合可能な上側受け部３６とされている。
【００２０】
締め付け前の状態では、上方変位規制片３１の突出端部は下側受け部３５とほぼ当接して配されるとともに、下方変位規制片３２の突出端部は上側受け部３６とほぼ当接して配される。締め付けの過程では、上方変位規制片３１の突出端部は下側受け部３５を摺動して下側締め付け部２６の背面側から次第に突出するようになり、下方変位規制片３２の突出端部は上側受け部３６を摺動して上側締め付け部２５の背面側から次第に突出するようになる。こうして締め付け後の状態では、上方変位規制片３１の中間部が下側受け部３５との当接状態を保ち、かつ下方変位規制片３２の中間部が上側受け部３６との当接状態を保つこととなる。
【００２１】
次に、本実施形態に係るバッテリーターミナル１０のバッテリーポスト８０への取り付け方法について説明する。  
まず、下側締め付け部２６から上側締め付け部２５にかけて両締め付け部２５、２６の貫通孔２７にボルト６１を貫通させ、さらに上側締め付け部２５の背面側に固着等して配したナット６２にボルト６１の軸の先端部を浅くねじ締めする。すると、図２に示すように、上方変位規制片３１が下側受け部３５に当接可能に配されて、下側締め付け部２６の上方への相対変位が規制され、かつ下方変位規制片３２が上側受け部３６に当接可能に配されて、上側締め付け部２５の下方への相対変位が規制される。
【００２２】
続いて、バッテリーポスト８０に上方から電極保持部２１を遊嵌状態で嵌め、その状態でボルト６１をナット６２に深くねじ込む。このとき、ボルト６１の軸の軸方向は両締め付け部２５、２６の板面方向と直角な方向（垂直方向に対して斜め方向）に設定され、この軸方向にボルト６１の締め付け方向も規定されることとなる。
【００２３】
ボルト６１の締め付けに伴い、ボルト６１の締め付け方向と実際の作業方向とのずれに起因し、上側締め付け部２５には下方への応力がはたらき、下側締め付け部２６には上方への応力がはたらくことがあるが、その場合に、下側受け部３５がその上方で上方変位規制片３１と摺動するとともに、上側受け部３６がその下方で下方変位規制片３２と摺動することにより、上側締め付け部２５が下方へ相対変位するのが規制され、かつ、下側締め付け部２６が上方へ相対変位するのが規制される。したがって、両締め付け部２５、２６は、ボルト６１の締め付け方向に沿って互いに安定して接近移動されることとなる。この間、電極保持部２１はその隙間をつめる向きに縮径変形してバッテリーポスト８０の外周に接触した状態となる。
【００２４】
こうしてボルト６１がナット６２を正規に締め付けると、上側リブ２８が下側締め付け部２６の対向面に当て止めされるとともに、下側リブ２９が上側締め付け部２５の対向面に当て止めされて、ボルト６１のそれ以上の締め付けが規制される。このとき、上方変位規制片３１は下側受け部３５を上方から押さえ付けるように配されるとともに、下方変位規制片３２は上側受け部３６を下方から押さえ付けるように配されて、両締め付け部２５、２６の相対位置がずれるのが防止される。また、電極保持部２１が適度な締め付け力をもってバッテリーポスト８０に締め付け固定される。
【００２５】
以上説明したように、本実施形態に係るバッテリーターミナル１０によれば、ボルト６１が両締め付け部２５、２６を貫通しつつナット６２に締め付けられると、上方変位規制片３１及び下方変位規制片３２によって両締め付け部２５、２６の芯ずれが規制されるから、作業現場における締め付け量のばらつきの発生が回避され、締め付け性の低下が防止される。
【００２６】
また、上方変位規制片３１が下側締め付け部２６側に突出して係合する形状をなし、下方変位規制片３２が上側締め付け部２５側に突出して係合する形状をなしているから、両締め付け部２５、２６の芯ずれを規制するに際して格別形状の複雑化を伴うこともない。
【００２７】
＜実施形態２＞
次に、本発明の実施形態２を図５ないし図７によって説明する。実施形態２に係るバッテリーターミナル１０は、締め付け部２５、２６の芯ずれを規制する形状が実施形態１とは異なる。その他は実施形態１と同様であり、実施形態１と同様の構造には同一符号を付し、重複する説明は省略する。
【００２８】
締め付け部２５、２６は、バッテリーポスト８０の軸と平行な方向に対して斜めに配される平板状をなし、実施形態１と同様、相対的に上方に配される上側締め付け部２５と相対的に下方に配される下側締め付け部２６とからなる。両締め付け部２５、２６には、その上端部の全体をボルト６１の締め付け方向前方へ略直角に折り曲げることによって上側リブ２８が形成され、かつその下端部の全体をボルト６１の締め付け方向後方へ略直角に折り曲げることによって下側リブ２９が形成されている。
【００２９】
両締め付け部２５、２６のほぼ中央部にはボルト６１を通す大きな貫通孔２７が設けられている。上側締め付け部２５の背面における貫通孔２７の開口縁には、ボルト６１の軸を内包しつつ締め付け方向後方（下側締め付け部２６から離間する方向）へ突出する円筒状の第１筒状体４１が一体に設けられている。下側締め付け部２６の対向面における貫通孔２７の内面には、ボルト６１の軸を内包しつつ締め付け方向後方（上側締め付け部２５側）へ突出する円筒状の第２筒状体４２が嵌着されている。
【００３０】
第１筒状体４１は、第２筒状体４２よりも大径で、かつ第２筒状体４２よりも突出量が小さくされている。第１筒状体４１の前端（突出端）にはナット６２の座面が当着されている。第２筒状体４２は、フランジ部４３と円筒部４４とからなり、円筒部４４が貫通孔２７に圧入され、かつフランジ部４３が下側締め付け部２６の内面における貫通孔２７の孔周りに当て止めされている。また、第２筒状体４２の内周面にはボルト６１が摺動可能とされ、フランジ部４３の後面にはボルト６１の頭部が当着されている。また、第２筒状体４２は、第１筒状体４１に入れ子式に嵌合可能とされ、かつその外周面が第１筒状体４１の内周面をボルト６１の締め付け方向に摺動可能とされている。
【００３１】
図６に示すように、電極保持部２１をバッテリーポスト８０に嵌め、ボルト６１をナット６２に浅くねじ込むと、第２筒状体４２の円筒部４４の前端部が第１筒状体４１の後端部に差し込まれる。このとき、円筒部４４の外周面が第１筒状体４１の内周面に全周に亘って当接可能に配され、第１筒状体４１に対する第２筒状体４２の径方向への相対変位が規制される。この状態で、図７に示すように、ボルト６１をナット６２に深くねじ込むと、第２筒状体４２の円筒部４４の略前半部が第１筒状体４１の全体に差し込まれ、第２筒状体４２の前端がナット６２の座面と当接可能に配される。この状態においても、第１筒状体４１の内周面と第２筒状体４２の外周面との当接状態が保たれ、これにより、第１筒状体４１と第２筒状体４２との相対位置のずれが規制される。
【００３２】
実施形態２によれば、第１筒状体４１が第２筒状体４２をボルト６１の軸の軸方向に摺動可能に内嵌してなるから、両筒状体４１、４２の変位方向が軸の軸方向に一通りに正しく定まり、芯出しの信頼性が高められる。
【００３３】
＜他の実施形態＞
本発明は上記記述及び図面によって説明した実施形態に限定されるものではなく、例えば次のような実施形態も本発明の技術的範囲に含まれる。  
（１）実施形態１において、上側締め付け部には、下側締め付け部の下方への相対変位を規制する下方変位規制片の如き下方変位規制手段が設けられていてもよく、また、下側締め付け部には、上側締め付け部の上方への相対変位を規制する上方変位規制片の如き上方変位規制手段が設けられていてもよい。  
（２）実施形態２においては、第１筒状体が下側締め付け部側に突出して設けられ、第２筒状体が上側締め付け部から離れる方向に突出して設けられ、かつ第２筒状体に第１筒状体が内嵌される構成であってもよい。
【図面の簡単な説明】
【００３４】
【図１】本発明の実施形態１に係り、バッテリーターミナルをバッテリーポストに取り付ける前の状態を示す側面図である。
【図２】バッテリーターミナルをバッテリーポストに取り付ける前の状態を示す正面図である。
【図３】バッテリーターミナルをバッテリーポストに取り付け、締め付け部を締め付けた状態を示す正面図である。
【図４】バッテリーターミナルをバッテリーポストに取り付けた状態を示す平面図である。
【図５】本発明の実施形態２に係り、バッテリーターミナルをバッテリーポストに取り付ける前の状態を示す正面図である。
【図６】バッテリーターミナルをバッテリーポストに取り付け、締め付け部を締め付ける前の状態を示す要部破断正面図である。
【図７】バッテリーターミナルをバッテリーポストに取り付け、締め付け部を締め付けた状態を示す要部破断正面図である。
【符号の説明】
【００３５】
１０…バッテリーターミナル
２１…電極保持部
２５…上側締め付け部
２６…下側締め付け部
３１…上方変位規制片
３２…下方変位規制片
４１…第１筒状体
４２…第２筒状体
６０…固定部材
６１…ボルト
６２…ナット
８０…バッテリーポスト
【図１】
2010153047.tif 000003
【図２】
2010153047.tif 000004
【図３】
2010153047.tif 000005
【図４】
2010153047.tif 000006
【図５】
2010153047.tif 000007
【図６】
2010153047.tif 000008
【図７】
2010153047.tif 000009